(57)【要約】【課題】卓球用ボールを打つときに必要な基本的な打撃フォームを習得することのでき、しかも体幹の鍛錬になる、構造が簡単な卓球練習具を実現する。【解決手段】支持棒２と、ラケット３と、支持棒２の先端部５とラケット３を互いにほぼ全方向に回動可能に接続する接続具６と、を備え、ラケット３の打面側には取付板４が固定されており、支持棒２の先端部５とラケット３は、取付板４を介して接続具６で互いに接続されており、接続具６は、支持棒２及びラケット３に対して、それぞれ回転可能に取り付けられており、接続具６の支持棒２に対する回転中心軸と、接続具６のラケット３に対する回転中心軸は、互いに直交する構成である。【選択図】図１
0003191760.tif 000002
【実用新案登録請求の範囲】
【請求項１】
支持棒と、支持棒の先端部とラケットを互いに回動可能に接続する接続具と、を備えたことを特徴とする卓球練習具。
【請求項２】
支持棒と、ラケットと、支持棒の先端部とラケットを互いに回動可能に接続する接続具と、を備えたことを特徴とする卓球練習具。
【請求項３】
ラケットの打面側に取付板を当接し、ラケットの裏面側に締付板を当接し、ラケットに取付板と締付板を挟み付けて着脱可能に固定し、支持棒の先端部とラケットは、取付板を介して接続具で互いに接続されていることを特徴とする請求項１又は２に記載の卓球練習具。
【請求項４】
ラケットの打面側には取付板が固定されており、支持棒の先端部とラケットは、取付板を介して接続具で互いに接続されていることを特徴とする請求項２に記載の卓球練習具。
【請求項５】
支持棒の基端部に回動可能にグリップが設けられていることを特徴とする請求項１〜４のいずれかに記載の卓球練習具。
【請求項６】
接続具は、支持棒及びラケットに対して、それぞれ回転可能に取り付けられており、
接続具の支持棒に対する回転中心軸と、接続具のラケットに対する回転中心軸は、互いに直交する構成であることを特徴とする請求項１〜５のいずれかに記載の卓球練習具。
【請求項７】
接続具は、ボールジョイントであることを特徴とする請求項１〜５のいずれかに記載の卓球練習具。
【考案の詳細な説明】
【技術分野】
【０００１】
本考案は、卓球の打撃練習、特に素振り練習等に使用される卓球練習具に関する。
【背景技術】
【０００２】
従来、使用者が立つ台と、その台に設けた所定長さを有する柱部材と、一端を該柱部材に取り付けられ他端に引張り力を作用させる紐状の伸縮材とを具備した卓球等の球技のトレーニング練習器が知られている。
【先行技術文献】
【特許文献】
【０００３】
【特許文献１】特開２００８−３０１９３０号公報
【考案の概要】
【考案が解決しようとする課題】
【０００４】
上記特許文献１に記載のトレーニング練習器は、ゴム等の伸縮材を引っ張ることによって筋力を鍛えるためには有用と考えられる。
【０００５】
しかしながら、卓球では、正確な返球、スピードのある球筋の返球等するためには、筋力以外に、卓球用ボールを打つときの打撃フォームが重要である。上記特許文献１記載のトレーニング練習器では、卓球に必要な正しい基本的に打撃フォームを習得するトレーニングをすることはできない。
【０００６】
本考案は、上記従来のトレーニング練習器等では習得できなかった、卓球用ボールを打つときに必要な基本的な打撃フォームを習得することのでき、しかも体幹の鍛錬になる、構造が簡単な卓球練習具を実現することを課題とする。
【課題を解決するための手段】
【０００７】
本考案は上記課題を解決するために、支持棒と、支持棒の先端部とラケットを互いに回動可能に接続する接続具と、を備えたことを特徴とする卓球練習具を提供する。
【０００８】
本考案は上記課題を解決するために、支持棒と、ラケットと、支持棒の先端部とラケットを互いに回動可能に接続する接続具と、を備えたことを特徴とする卓球練習具を提供する。
【０００９】
ラケットの打面側に取付板を当接し、ラケットの裏面側に締付板を当接し、ラケットに取付板と締付板を挟み付けて着脱可能に固定し、支持棒の先端部とラケットは、取付板を介して接続具で互いに接続されている構成としてもよい。
【００１０】
ラケットの打面側には取付板が固定されており、支持棒の先端部とラケットは、取付板を介して接続具で互いに接続されている構成としてもよい。
【００１１】
支持棒の基端部に回動可能にグリップが設けられている構成としてもよい。
【００１２】
接続具は、支持棒及びラケットに対して、それぞれ回転可能に取り付けられており、接続具の支持棒に対する回転中心軸と、接続具のラケットに対する回転中心軸は、互いに直交する構成としてもよい。
【００１３】
接続具は、ボールジョイントである構成としてもよい。
【考案の効果】
【００１４】
本考案に係る卓球練習具は、卓球の素振り練習に使用することにより、卓球用ボールを打つときに必要な基本的な打撃フォームを習得し易くなり、同時に体幹を鍛錬することができ、しかも、構造が簡単であるので、卓球練習センターに備えておくだけでなく、個人用の卓球練習具としても簡単に手に入り易く、有用である。
【図面の簡単な説明】
【００１５】
【図１】本考案に係る卓球練習具の実施例１を説明する図であり、（ａ）は断面図であり、（ｂ）は（ａ）の要部拡大図であり、（ｃ）は（ａ）のＣ−Ｃ断面図である。
【図２】実施例１の使用態様を通して作用を説明する図である。
【図３】本考案に係る卓球練習具の実施例２を説明する図であり、（ａ）は断面図であり、（ｂ）は（ａ）の要部拡大図である。
【図４】実施例２の変形例を説明する図であり、（ａ）〜（ｃ）は第１の変形例であり、（ａ）は平面図（ラケットの打面側から見た図）であり、（ｂ）は（ａ）のＢ−Ｂ断面図であり、（ｃ）はラケットを装着する状態を示す断面図である。（ｄ）、（ｅ）は第２の変形例であり、（ｄ）は平面図（ラケットの打面側から見た図）であり、（ｅ）は（ｄ）のＥ−Ｅ断面図である。
【図５】本考案に係る卓球練習具の実施例３を説明する図であり、（ａ）は断面図であり、（ｂ）は（ａ）の要部拡大図であり、（ｃ）は別の構成例を説明する要部断面である。
【考案を実施するための形態】
【００１６】
本考案に係る卓球練習具を実施するための形態を実施例に基づき図面を参照して、以下説明する。
【実施例】
【００１７】
（実施例１）
本考案に係る卓球練習具の実施例１を、図１及び図２において説明する。実施例１の卓球練習具１は、図１（ａ）〜（ｃ）に示すように、支持棒２と、ラケット３と、ラケット３の打面側に固定された取付板４と、支持棒２の先端部５とラケット３を取付板４を介して互いにほぼ全方向に回動可能に接続する接続具６と、を備えている。
【００１８】
なお、実施例１及び後記する実施例２、実施例３では、本考案に係る卓球練習具は、ラケットを備えた（取り付けた）構成として説明するが、本考案に係る卓球練習具は、ラケットは備えていなくても、少なくとも支持棒２と、支持棒２の先端にラケットを全方向に回動可能に接続する接続具６と、を備えた構成であればよい。
【００１９】
このように卓球練習具は、少なくとも支持棒２と、支持棒２の先端にラケットを全方向に回動可能に接続する接続具６と、を備えた構成である場合は、後記する実施例２の変形例でも説明するが、練習者が自分のラケットや好みのラケットを、支持棒の先端に着脱可能に自由に取り付けて使用すればよい。
【００２０】
支持棒２は、剛性を有すれば細くてもよいが、少なくとも基端部１０は使用者が把持できる程度の太さである。支持棒２は、その断面が円形、楕円形又は矩形でもよいが、少なくとも基端部１０は、使用者が把持し易いように円形又は楕円形とする必要があり、基端面１１は、練習者の掌に当てても痛くないように、ほぼ半球状又は楕円の半球状に形成されていることが好ましい。
【００２１】
ラケット３の取付板４は、ラケット３の前面であって、中央より若干、ラケット３の握り部１２側に寄って、ねじ等で固定されている。
【００２２】
接続具６は、自在継手として機能するものであり、本実施例１では第１の片１５と第２の片１６が互いに直交し、断面がＬ字型の接続板１７を有する。
【００２３】
接続板１７の第１の片１５は支持棒２の先端部５の側面に回動可能に取り付けられている。具体的には、図１（ｂ）に示すように、頭付きスタッドボルト２０を、接続板１７の第１の片１５の孔２２、スペーサ２１及び支持棒２の先端部５の孔２３を挿通させ、頭付きスタッドボルト２０の先端にスペーサ２４を介してナット２５を螺着して固定して成る構成である。
【００２４】
このような構成であると、支持棒２に対して接続板１７及びラケット３を、図１（ａ）に示すように、頭付きスタッドボルト２０を中心に、矢印Ｘ方向に回動可能である。なお、図示はしないが、第１の片１５をベアリング（ボールベアリング、スラストベアリング等）を介して支持棒２の先端部５に取り付けた構成としてもよい。
【００２５】
接続板１７の第２の片１６は、図１（ｂ）に示すように、ラケット３の取付板４に回動可能に取り付けられている。具体的には、頭付きスタッドボルト３０を、接続板１７の第２の片１６の孔３２に挿通させ、スペーサ３１を介して取付板４に螺着して固定して成る構成である。
【００２６】
このような構成であると、接続板１７に対してラケット３を、図１（ａ）に示すように、頭付きスタッドボルト３０を中心に、矢印Ｙ方向に回動可能である。なお、図示はしないが、第２片１６をベアリングを介してラケット３の取付板４に取り付けた構成としてもよい。
【００２７】
以上のとおりの構成であるが、頭付きスタッドボルト２０と頭付きスタッドボルト３０は、互いに直交するように取り付けられているので、接続具６の支持棒２に対する回転中心軸と、接続具６のラケット３に対する回転中心軸は、互いに直交する構成である。これによって、支持棒２に対して、ラケット３は、Ｘ方向に回動した際にラケット３が支持棒２に当たる以外を除いて、ほぼ全方向に回動可能となる。
【００２８】
（作用）
以上の構成から成る実施例１の卓球練習具１の作用を、その使用態様を通して説明する。練習者が卓球練習具１を使用してフォアハンドの素振りの練習をする場合には、図２に示すように、フォアハンドの姿勢において、練習者（右手利きの者の場合）は、左手で支持棒２の基端部１０を把持し、右手でラケット３の握り部１２を握る。
【００２９】
この状態で、通常の素振りと同様にラケット３を振る。すると、左手で支持棒２の基端部１０を把持した把持部１３を中心に、右手によって、ラケット３とともに支持棒２は振られる。この際、把持部１３をある程度、一定の位置にして素振りを行う場合もあるが、把持部１３を、動かして素振りを行う場合もある。
【００３０】
いずれにしろ、上記のように、卓球練習具１を使用して素振りの練習をすると、左手で支持棒２の基端部１０を把持した把持部１３に対して、支持棒２で関連づけられた間隔をおいて、右手でラケット３を振ることとなる。
【００３１】
従って、練習者は、ラケット３を手首だけでこねまわすようにして振るようなことなく、身体全体を関連づけてラケット３を振るので、このような素振りの練習を繰り返しすれば、身体全体を使用した適切な打撃フォームを少しずつ習得することができ、また打撃フォームを矯正することもできる。
【００３２】
また、身体全体を利用して振るので、卓球の競技者として必要な体幹のトレーニングにもなる。支持棒をウェイトのあるもので作成したり、或いはウェイトを付ける構成とすることで、そのような体幹のトレーニングをより効果的行うことも可能となる。
【００３３】
（実施例２）
本考案に係る卓球練習具の実施例２を、図３において説明する。この実施例２の卓球練習具４１は、実施例１の卓球練習具１とほぼ同じ構成である。
【００３４】
卓球練習具４１は、図３（ａ）、（ｂ）に示すとおり、卓球練習具１と同様に、支持棒２と、ラケット３と、ラケット３の打面側に固定された取付板４と、支持棒２の先端部５とラケット３を取付板４を介して互いにほぼ全方向に回動可能に接続する接続具６と、から成る。
【００３５】
この実施例２の卓球練習具１の特徴は、自在継手として機能する接続具６として、ボールジョイント（玉継手）を使用した構成である。具体的には、支持棒２の先端部５とラケット３の取付板４との間に、ボールジョイント４２を設けた。
【００３６】
具体的には、図３（ａ）、（ｂ）に示すように、支持棒２の先端部５にボールジョイントの受け部４３を取付け、ラケット３の取付板４にボール部４４を取付けた構成としているが、逆に、支持棒２の先端部５にボール部４４を取付け、ラケット３の取付板４に受け部４３を取付けた構成としてもよい。なお、実施例２の卓球練習具１の作用は、実施例１と全く同じである。
【００３７】
図４に第１の変形例及び第２の変形例の卓球練習具を示す。これらの変形例の卓球練習具は、いずれも支持棒２にラケット３を簡単に着脱可能に取り付ける構成を特徴とする。このような構成とすると、練習者が常時使用している自分愛用のラケットを支持棒に簡単に取り付けて使用することが可能となる。
【００３８】
図４（ａ）〜（ｃ）に示す第１の変形例の卓球練習具６５は、実施例２において、取付板４をラケット２の打面側に固定せず、取付板４に、ヒンジ６６を介して開閉可能に締付板６７を設けて成る構成とした。
【００３９】
使用する際には、練習者は、締付板６７を図４（ｃ）のように開いて、自分のラケット３を取付板４と締付板６７との間に置いて、取付板４と締付板６７との間で挟み込んでから、ボルト６８及びナット６９で、図４（ｂ）に示すように、締結する。なお、このような第１の変形例は、実施例１及び実施例３においても、ラケット３を支持棒２に取り付ける構成に適用可能である。
【００４０】
図４（ｄ）、（ｅ）に示す第２の変形例の卓球練習具７５は、実施例２において、取付板４をラケット２の打面側に固定せず、取付板４に対向するように、締付板７６を設けて成る構成とした。この第２の変形例では、ヒンジ等で取付板４と締付板７６を接続しない。  
【００４１】
使用する際には、練習者は自分のラケット３を取付板４と締付板７６との間に置いて、取付板４と締付板６６との間で挟み込んでから、図４（ｅ）に示すように、取付板４と締付板７６の両端において、それぞれボルト６８及びナット６９で締結する。なお、このような第２の変形例は、実施例１及び実施例３においても、ラケット３を支持棒２に取り付ける構成に適用可能である。
【００４２】
（実施例３）
本考案に係る卓球練習具の実施例３を、図５において説明する。この実施例３の卓球練習具５１は、実施例１の卓球練習具１又は実施例２の卓球練習具４１とほぼ同じ構成である。
【００４３】
実施例３の卓球練習具５１は、図５（ａ）に示すとおり、卓球練習具１又は卓球練習具４１と同様に、支持棒２と、ラケット３と、ラケット３の打面側に固定された取付板４と、支持棒２の先端部５とラケット３を取付板４を介して互いにほぼ全方向に回動可能に接続する接続具６と、を備えている。                              
【００４４】
この実施例３の卓球練習具５１の特徴は、実施例１の卓球練習具１又は卓球練習具４１において、支持棒２の基端部１０に、支持棒２とは別に、グリップ５２を回転可能に設けた構成である。
【００４５】
具体的には、図５（ｂ）に示すように、頭付きスタッドボルト５６を、グリップ５２の軸心に形成された貫通孔５７に挿通し、スペーサ５８を介して支持棒２の基端部１０に螺着した構成とした。
【００４６】
実施例３の卓球練習具５１は、図５（ｃ）に示すように、グリップ６１をボールジョイント６２を介して支持棒２の基端部１０に取り付ける構成としてもよい。
【００４７】
このような卓球練習具５１を使用して素振りの練習をする際には、練習者は、左手でグリップ５２、６１を把持し、右手でラケット３の握り部１２を握る。そして、実施例１と同様に素振りをすると、練習者が把持しているグリップ５２、６１に対して、支持棒２が回転可能であるので、よりスムースに支持棒２及びラケット３を振ることが可能となる。
【００４８】
なお、図示はしないが、支持棒２に対して上記のように独立して特にグリップ５２、６１を設ける構成ではなく、支持棒２の基端部１０を、断面円形の芯部と、芯部に対して周囲を回動可能な環状部との二層構造として、環状部を練習者が把持するグリップとして使用する構成としてもよい。
【００４９】
以上、本考案に係る卓球練習具を実施するための形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００５０】
本考案に係る卓球練習具は上記のような構成であるから、卓球の素振り練習による打撃フォームの習得に最適であり、卓球練習センターに備えての使用だけでなく、個人用の卓球練習具としても適用可能である。
【符号の説明】
【００５１】
１  卓球練習具                                         
２  支持棒                                             
３  ラケット                                           
４  取付板                                             
５  支持棒の先端部                                     
６  接続具                                             
１０  支持棒の基端部                                   
１１  支持棒の基端面                                   
１２  ラケットの握り部（ハンドル）                     
１３  把持部                                           
１５  接続板の第１の片                                 
１６  接続板の第２の片                                 
１７  接続板                                           
２０  頭付きスタッドボルト                             
２１  スペーサ                                         
２２  第１の片の孔                                     
２３  支持棒の先端部の孔                               
２４  スペーサ                                         
２５  ナット                                           
３０  頭付きスタッドボルト                             
３１  スペーサ                                         
３２  第２の片の孔                                     
４１  卓球練習具                                       
４２  ボールジョイント                                 
４３  ボールジョイントの受け部                         
４４  ボールジョイントのボール部                       
５１  卓球練習具                                       
５２  グリップ                                         
５６  頭付きスタッドボルト                             
５７  グリップの軸心の貫通孔                           
５８  スペーサ                                         
６１  グリップ                                         
６２  ボールジョイント 
６５  卓球練習具
６６  ヒンジ
６７  締付板
６８  ボルト
６９  ナット
７５  卓球練習具
７６  締付板
【図１】
0003191760.tif 000003
【図２】
0003191760.tif 000004
【図３】
0003191760.tif 000005
【図４】
0003191760.tif 000006
【図５】
0003191760.tif 000007